(57)【要約】【課題】睫毛にマスカラ液をたっぷり塗布しながら、睫毛１本１本を分離させて、すらりと長い睫毛に仕上げることのできるマスカラ塗布具を提供する。【解決手段】コーム部５を構成する櫛歯５１を、軸方向での配列ピッチＰが、軸方向の中心で最も広く（Ｐ１＝Ｐ２）、中心から外側に向かうに連れて連続的に狭くなるように（Ｐ１＞Ｐ３，Ｐ２＞Ｐ４）形成する。【選択図】図３
0003146037.tif 000002
【実用新案登録請求の範囲】
【請求項１】
基端が把持部に固定された軸と、この軸の先端に形成されたコーム部とを備えたマスカラ塗布具であって、
前記コーム部を構成する複数の櫛歯の前記軸方向での配列ピッチが、所定位置から少なくとも一方に向かうに連れて連続的に狭くなるように形成されているマスカラ塗布具。
【請求項２】
前記配列ピッチが、軸方向の中心で最も広く、中心から外側に向かうに連れて連続的に狭くなるように形成されている請求項１記載のマスカラ塗布具。
【請求項３】
前記櫛歯の前記軸に直交する面の形状は、基端部からＶ字状に突出する形状である請求項１または２記載のマスカラ塗布具。
【請求項４】
前記コーム部の前記櫛歯を突出させる基端部は、前記軸方向で円弧状に形成され、櫛歯の先端が前記基端部の円弧と同芯の円弧に沿って並んでいる請求項１〜３のいずれか１項に記載のマスカラ塗布具。
【請求項５】
前記コーム部の櫛歯が突出している側の反対側に、軸方向に沿って凹凸が形成されたコイル部を有する請求項１〜４のいずれか１項に記載のマスカラ塗布具。
【考案の詳細な説明】
【技術分野】
【０００１】
本考案はマスカラ塗布具に関する。
【背景技術】
【０００２】
睫毛にマスカラ液を塗布するマスカラ塗布具の従来例としては、下記の特許文献１〜３に示すものが挙げられる。
【０００３】
特許文献１には、基端が把持部に固定された軸と、この軸の先端に形成されたコーム部とを備えた櫛形塗布具が記載されている。この塗布具は、マスカラ液をコーム部の複数の櫛歯の間に入れて、睫毛を根元から毛先に梳かしながらマスカラ液を塗布することで、睫毛のカールとマスカラの塗布を同時に行うことができる。櫛歯間の配列ピッチに関しては「例えば０．５〜１．０ｍｍである」と記載されている。
【０００４】
特許文献２には、基端が把持部に固定された軸と、この軸の先端に形成されたコーム部とを備え、さらに、前記コーム部の櫛歯が突出している側の反対側に、軸方向に沿って凹凸が形成されたコイル部を有する液体化粧料用塗布具が記載されている。この塗布具は、コイル部の凹溝にマスカラ液を入れて、マスカラ液を睫毛に塗布した後、コーム部の櫛歯で睫毛を梳かして整えるものである。櫛歯間の配列ピッチに関しては「０．３〜０．７ｍｍであることが好ましい」と記載されている。
【０００５】
なお、特許文献３には、複数の針状突起を有するブラシ部と、このブラシ部を支持する支持棒とを備え、ブラシ部の針状突起の軸方向における配列ピッチが中央部より両側域で狭くなっているマスカラ塗布具が記載されている。この塗布具は、支持棒の周方向にも複数個の針状突起が（周方向の一部の領域に、あるいは全周に渡って）形成されている。
【特許文献１】特開２０００−１６８８２３号公報
【特許文献２】特開２００５−３１９００４号公報
【特許文献３】特開２００５−１２５０２１号公報
【考案の開示】
【考案が解決しようとする課題】
【０００６】
本考案の課題は、睫毛にマスカラ液をたっぷり塗布しながら、睫毛１本１本を分離させて、すらりと長い睫毛に仕上げることのできるマスカラ塗布具を提供することである。
【課題を解決するための手段】
【０００７】
上記課題を解決するために、本考案は、基端が把持部に固定された軸と、この軸の先端に形成されたコーム部とを備えたマスカラ塗布具であって、前記コーム部を構成する複数の櫛歯の前記軸方向での配列ピッチが、所定位置から少なくとも一方に向かうに連れて連続的に狭くなるように形成されている（例えば、軸方向の中心で最も広く、中心から外側に向かうに連れて連続的に狭くなるように形成されている）マスカラ塗布具を提供する。
【０００８】
この考案のマスカラ塗布具によれば、コーム部の櫛歯の配列ピッチが広い（例えば、軸方向の中心を含む）領域で、睫毛にマスカラ液をたっぷり塗布した後に、櫛歯の配列ピッチが狭い（例えば、軸方向の外側の）領域で睫毛１本１本を分離させることにより、すらりと長い睫毛に仕上げることができる。
【０００９】
この考案のマスカラ塗布具は、前記櫛歯の前記軸に直交する面の形状が、基端部からＶ字状に突出する形状であることが好ましい。これにより、睫毛の根元に塗布具を当てやすくなり、また、マスカラ液が入った容器側に設けた払拭部（余分なマスカラ液を取り除くためにコーム部を接触させる部分）に、櫛歯を接触させ易くなるため、コーム部の櫛歯の表面から余分なマスカラ液を容易に取り除くことができる。
【００１０】
この考案のマスカラ塗布具は、前記コーム部の前記櫛歯を突出させる基端部が、前記軸方向で円弧状に形成され、櫛歯の先端が前記基端部の円弧と同芯の円弧に沿って並んでいることが好ましい。これにより、睫毛が生えている瞼のラインに櫛歯の先端の円弧状のラインを沿わせて使用することができるため、櫛歯の先端が直線状に並んでいるものと比較して使い易くなる。
【００１１】
この考案のマスカラ塗布具は、前記コーム部の櫛歯が突出している側の反対側に、軸方向に沿って凹凸が形成されたコイル部を有することが好ましい。これにより、コイル部の凹部にマスカラ液を入れて、マスカラ液を睫毛の特に根元に塗布した後、コーム部を前述のように使用することで、睫毛の根元にたっぷりマスカラ液が塗布されて目元にライン効果を持たせながら、すらりと長い睫毛に仕上げることができる。
【考案の効果】
【００１２】
本考案のマスカラ塗布具によれば、睫毛にマスカラ液をたっぷり塗布しながら、睫毛１本１本を分離させて、すらりと長い睫毛に仕上げることができる。
【考案を実施するための最良の形態】
【００１３】
以下、本考案の実施形態について説明する。
【００１４】
図１は、この実施形態のマスカラ塗布具を示す斜視図である。
このマスカラ塗布具は、円筒状の把持部１と、マスカラ塗布具の主要部分である本体２と、把持部１をなす円筒の一端に固定された先端部１１とからなる。
【００１５】
本体２は、図２に示すように、軸３と、軸３の基端に一体に形成された取り付け部４とからなり、軸３の先端にコーム部５とコイル部６が形成されている。取り付け部４は、円筒状の把持部１に遊嵌される寸法の円筒体４１と、その周面に等間隔で設けたリブ４２と、軸３との境界に設けた円板部４３とからなる。この本体２は、ポリアミドの射出成形で製造することができる。
【００１６】
把持部１をなす円筒の開口部側の内面には、マスカラ液を入れた容器に設けた雄ねじに螺合する雌ねじが形成され、この雌ねじの奥に円板部４３が嵌まる溝が形成されている。この雌ねじ側の開口部から把持部１内に本体２の取り付け部４を入れて、リブ４２を把持部１内で弾性変形させ、円板部４３を前記溝に嵌めることで、本体２が把持部１に固定されている。
【００１７】
コーム部５とコイル部６の拡大図を図３に示す。図３のＡ−Ａ断面を図４に示す。
【００１８】
図３に示すように、コーム部５は、軸方向に配列された３３本の櫛歯５１を有し、これらの櫛歯５１は、軸方向で円弧状に形成された基端部５６から突出している。３３本の櫛歯５１の形状および寸法は全て同じであり、これらの櫛歯５１の先端は基端部５６の円弧と同芯の円弧に沿って並んでいる。また、図４に示すように、櫛歯５１の軸３に直交する面の形状は、基端部５６からＶ字状に突出する形状である。
【００１９】
櫛歯５１の寸法は、軸方向での幅の最大値（図３の寸法ａ）が０．３ｍｍ、軸方向での幅の最小値（図３の寸法ｂ）が０．２ｍｍ、基端部５６からの突出長さ（図３および図４の寸法ｃ）が２．８ｍｍ、軸に直交する方向での幅の最大値（図４の寸法ｄ）が２．５ｍｍである。また、３３本の櫛歯５１は、軸方向の中心に配置された櫛歯５１ａを中心に左右対称に配置されている。そして、中心の櫛歯５１ａとその右隣の櫛歯５１ｂとの配列ピッチＰ１、および中心の櫛歯５１ａとその左隣の櫛歯５１ｃとの配列ピッチＰ２は、０．７６２ｍｍである。
【００２０】
この櫛歯５１ｂから右側に向かうに連れて、右隣の櫛歯５１との配列ピッチは連続的に小さくなり、最も右側の櫛歯５１ｄとその左隣の櫛歯５１ｋとの間で最も小さくなっている。最も右側の櫛歯５１ｄとその左隣の櫛歯５１ｋとの間の配列ピッチＰ３は０．６５０ｍｍとなっている。左側も同様に、櫛歯５１ｃから左側に向かうに連れて、左隣の櫛歯５１との配列ピッチは連続的に小さくなり、最も左側の櫛歯５１ｅとその右側の櫛歯５１ｑとの間で最も小さくなっている。最も左側の櫛歯５１ｅとその右側の櫛歯５１ｑとの間の配列ピッチＰ４は０．６５０ｍｍとなっている。
【００２１】
この配列ピッチＰに対応して、隣り合う櫛歯５１の先端部の間隔Ｗは、中心の櫛歯５１ａから左右の外側の櫛歯５１ｅ，５１ｄに向かうに連れて連続的に狭くなっている。
【００２２】
また、隣り合う櫛歯５１の間と、最も先端側の櫛歯５１ｄとコーム先端部５２との間、最も基端側の櫛歯５１ｅとコーム基端部５３との間に、睫毛を基端部５６に当てないための緩衝部５４が形成されている。この緩衝部５４の軸３に直交する面の形状は、図４に示すように、基端部５６から円弧状に突出する形状である。この緩衝部５４の突出寸法（図４の寸法ｅ）は０．８ｍｍである。また、基端部５６の軸３に直交する方向の寸法（図４の寸法ｆ）は０．４ｍｍである。
【００２３】
この緩衝部５４の軸方向のラインは、中心の櫛歯５１ａを０として左側の７番目に配置された櫛歯５１ｆから右側のコーム先端部５２に接する位置までは、基端部５６の円弧と同心の円弧５４Ａに沿っているが、左側の８番目に配置された櫛歯５１ｇから左側では直線５４Ｂに沿っている。この直線５４Ｂは、櫛歯５１ｇから左側に行くに連れて円弧５４Ａから更に外側に外れる直線である。そのため、隣り合う櫛歯５１同士の基端部５６の円弧に沿った間隔Ｋは、中心の櫛歯５１ａを０とした左右の７番目と８番目との間隔までは左右対称であるが、これより外側の間隔は左右対称になっていない。
【００２４】
そして、この間隔Ｋは、中心の櫛歯５１ａより右側で、外側に行くに連れて連続的に狭くなっている。具体的には、中心の櫛歯５１ａとその右側の櫛歯５１ｂとの間隔Ｋ１が０．４０６ｍｍ、右側の７番目に配置された櫛歯５１ｈと８番目に配置された櫛歯５１ｊとの間隔Ｋ３が０．３６２ｍｍ、最も右側に配置された櫛歯５１ｄとその左側に配置された櫛歯５１ｋとの間隔Ｋ４が０．３０２ｍｍとなっている。
【００２５】
中心より左側では、中心の櫛歯５１ａとその左側の櫛歯５１ｃとの間隔Ｋ２が０．４０６ｍｍ、左側の７番目に配置された櫛歯５１ｆと８番目に配置された櫛歯５１ｇとの間隔Ｋ５が０．３６２ｍｍで、ここまでは右側と同じである。しかし、８番目に配置された櫛歯５１ｇと９番目に配置された櫛歯５１ｍとの間隔Ｋ６は０．３５５ｍｍで、ここから１３番目に配置された櫛歯５１ｎと１４番目に配置された櫛歯５１ｐとの間隔Ｋ７まで連続的に狭くなっている。そして、これよりさらに左側では連続的に広くなっている。具体的に前記間隔Ｋ７は０．３３７ｍｍ、最も左側に配置された櫛歯５１ｅとその右側に配置された櫛歯５１ｐとの間隔Ｋ８は０．３４６ｍｍとなっている。
【００２６】
コイル部６は、基端部５６を挟んでコーム部５とは反対側に形成され、軸方向に沿ったＶ字状の凹凸である。コイル部６の凸部６１の先端は、軸３の延長線Ｌに沿うように形成され、軸方向中心における基端部５６から凸部６１の先端部までの寸法（図４の寸法ｇ）は３．２ｍｍである。その隣の凹部６２の基端部５６からの寸法（図４の寸法ｈ）は２．４ｍｍである。これにより、Ｖ字状の凹部６１の深さ（図４の寸法ｊ）は０．８ｍｍである。なお、コーム基端部５３に近い２つの凹部６２ａ，６２ｂは、Ｖ字状ではなく円弧状と双曲線状に形成されている。
【００２７】
この実施形態のマスカラ塗布具は、通常、マスカラ液を入れた容器内にコーム部５およびコイル部６と軸部３を入れて、把持部１の雌ねじを前記容器に設けた雄ねじに螺合した状態で、商品である「マスカラ」として提供される。
【００２８】
このマスカラを使用する際には、先ず、利き手で把持部１を持ち、もう一方の手で容器を持って、把持部１を回転させて容器との螺合を解除し、軸方向に沿って把持部１を移動する。これにより、この実施形態のマスカラ塗布具は、コーム部５およびコイル部６にマスカラ液を付けた状態となる。
【００２９】
次に、コイル部６を睫毛の根元に当ててから先端側に移動することで、コイル部６の凹部６２に付いたマスカラ液を主に睫毛の根元に塗布する。これにより、睫毛の根元にたっぷりマスカラ液が塗布されて目元にライン効果を持たせることができる。
【００３０】
次に、コーム部５の櫛歯５１で睫毛を根元から先端に向けて梳かし上げることで、櫛歯５１間に入ったマスカラ液を睫毛に付けながら睫毛をカールする。その際に、櫛歯５１の配列ピッチが広い軸方向中心部の領域で、睫毛にマスカラ液をたっぷり塗布し、櫛歯５１の配列ピッチが狭い軸方向外側の領域（の特に櫛歯５１の先端部）で、睫毛１本１本を分離させることにより、すらりと長い睫毛に仕上げることができる。
【００３１】
また、この実施形態のマスカラ塗布具は、櫛歯５１の先端の円弧状のラインを、睫毛が生えている瞼のラインに沿わせて使用できるため、櫛歯５１の先端が直線状に並んでいるものと比較して使い易い。さらに、櫛歯５１の軸３に直交する面の形状が基端部５６からＶ字状に突出する形状であるため、軸方向に沿って把持部１を移動することで容器からマスカラ塗布具を外す際に、容器側に設けた払拭部にコーム部５の櫛歯５１が接触し易く、櫛歯５１の表面から余分なマスカラ液を容易に取り除くことができる。
【００３２】
なお、この実施形態では、櫛歯５１の配列ピッチＰが、軸方向の中心で最も広く、中心から左右の両外側に向かうに連れて連続的に狭くなっているが、中心から左右のいずれか一方のみで連続的に狭くなっていてもよい。また、櫛歯５１の配列ピッチＰが最も広い位置は、軸方向の中心に限定されない。例えば、中心よりコーム基端部５３側の櫛歯５１ｇ，５１ｆ間で最も広く、それよりコーム先端部５２側に向かうに連れて連続的に狭くなっていてもよい。
【図面の簡単な説明】
【００３３】
【図１】この考案の一実施形態に相当するマスカラ塗布具を示す斜視図である。
【図２】図１のマスカラ塗布具を構成する本体を示す側面図である。
【図３】図１のマスカラ塗布具のコーム部およびコイル部を示す拡大図である。
【図４】図３のＡ−Ａ断面図である。
【符号の説明】
【００３４】
１  把持部
１１  先端部
２  本体
３  軸
４  取り付け部
４１  円筒体
４２  リブ
４３  円板部
５  コーム部
５１  櫛歯
５２  コーム先端部
５３  コーム基端部
５４  緩衝部
５６  基端部
６  コイル部
６１  凸部
６２  凹部
【図１】
0003146037.tif 000003
【図２】
0003146037.tif 000004
【図３】
0003146037.tif 000005
【図４】
0003146037.tif 000006